(57)【要約】      （修正有）【課題】ダンベル、繩跳びのロープ、胸拡張トレーニング・ロープ、腕立て伏せトレーナーなどを組み立てうる、 多機能ダンベルを提供する。【解決手段】その内部に適切な重量物を充填することができる中空バー１０、中空バーの両端をカバーするために使用される２つのキャップ２０、ロープ、繩跳びロープを組み立てうる両端をキャップで固定したロープ、支持板および中空バーの２つの対称的なセットで組み立てられる胸拡張トレーニング・ロープを形成することができるロープセット、腕立て伏せトレーナーを組み立てるための、中空バーと固定する支持板の挿入用の２つの対称的なフィッティング穴をもつ土台から構成される。【選択図】図１
0003130481.tif 000002
【実用新案登録請求の範囲】
【請求項１】
両端に係止溝を持つ、中空バーと 前記中空バーの両端をカバーし、かつ堅く備品に前記係止溝を適合させる適切な高さで、内部壁に対称的な凸状ポイントを持つ２つのキャップを含む多機能ダンベルであって、重量物が前記中空バーに充填される場合にはそれがダンベルになり、また、重量物の充填が調整可能である多機能ダンベル。 
【請求項２】
前記係止溝が、L-形である請求項１の多機能ダンベル。 
【請求項３】
さらに、その両端の各々に、溝がほられた凸状頭部を持つコネクターを備えたロープと、さらに、前記キャップは、前記溝がほられた凸状頭部と固定するために中心に穴をもつ請求項１の多機能ダンベルであって、前記中空バーの２セットによって連結され、繩跳びロープが、組み立てられる多機能ダンベル。 
【請求項４】
さらに、対称的な2枚の支持板、連接バー、および少なくとも1本の弾性のロープをもつロープ・セットを含む請求項１の多機能ダンベルであって、このような要素で胸拡張トレーニング・ロープが組み立てられる多機能ダンベル。 
【請求項５】
前記ロープ・セットの前記支持板が、前記中空バーに接続するために一つのサイドに接合穴を持っており、反対サイドに挿入孔と固定穴を持ち、前記連接バーは前記固定穴で固定するために両端に対称的なネックバーを持っており、前記弾性のロープと接続するために多数の側面穴を持っている請求項４の多機能ダンベル。 
【請求項６】
前記連接バーの前記ネックバーが、前記支持板と固定するためにさらに固定頭部を有する請求項５の多機能ダンベル。 
【請求項７】
前記連接バーの前記側面穴の内部壁に、少なくとも2つの対称的なロック凹を持ち、前記弾性のロープは、その両端に2つの対称的なフィッテイング棒に接続され、それは堅く前記側面穴に適合され、また、前記のフィッテイング棒の端の対称的な突出頭部が前記ロック凹としっかりと固定される請求項５の多機能ダンベル。 
【請求項８】
さらに2枚の対称的な支持板および1つの土台をさらに含み、前記支持板は前記中空バーに接続するために接合穴を持っており、前記土台は、さらりセット2つの対称的なスタンドを有し、その各々は、堅牢な取り付け具の前記支持板の1つに挿入されるために適合する穴を持っている請求項１の多機能ダンベルであって、腕立て伏せトレーナーが、組み立てられる多機能ダンベル。
【考案の詳細な説明】
【技術分野】
【０００１】
本考案は、多くの運動器具として使うことができる多機能ダンベルに関係している。
【背景技術】
【０００２】
先行技術、台湾特許375933番（特許文献１）に示される「多機能の運動器具の構造」は、次の内容を含む。 
両端において接続しているスレッドチューブ（thread tube）で螺旋状に包まれたワイヤーによって形成され、スポンジゴム・チューブによってカバーされる、中空の、弾性の折り曲げ可能なバー； 
両端に高密度金属の雄スレッド（thread）を持っており、スポンジゴム・チューブによってカバーされた、連結式の握り； 
高弾性の弾性の管材料で作られている弾性のロープ； 
飾りをもつ両端に、1つの大きく小さな開放端を持っている2本の弾性チューブであって、そのスレッド（thread）が中間にセットされ、大きな開放端からのびている。小さな開放端においては、金属固定プレート(それは内部へ面する2つのバネバンドをもつ)が、内側にインストールされている。外部の溝が、8-形リングに適合するために小さな開放端の近くにセットされている； 
大きな開放端の内部に粗いスレッド（thread）もち、内側にボルトが組み込まれた小さな開放末端内部に緻密なスレッド（thread）をもつ二つの円錐形の固定チューブ；
両末端で２つの適合リングの伸びたロープで下側を固定された踏み台； 
上述の部分で、連結式の握りの雄スレッド（thread）は、弾性の折り曲げ可能なバーのスレッド（thread）チューブで固定することができ、そして、円錐の固定チューブの粗いスレッド（thread）で固定する。円錐の固定チューブの緻密なスレッド（thread）に埋め込まれたボルトは、その後、弾性チューブの飾りのスレッド（thread）で固定する。弾性のロープは、弾性チューブ内に挿入され、そして、弾性チューブから突き出るロープの長さが適切だったとき、バネバンドで固定された。その結果、ロープの突き出た部分が、8-角形の輪のクランプによって固定化される。さらに、弾性のロープは、踏み台を通して挿入され、同じ方法で別の弾性チューブで固定された。このような組み立てられた用具は、結果として、人が、足で地面に対して踏み台を押し、手で折り曲げ可能なバーを持ち、そして繰り返し、上へ下へ移動させるとき、体重レイジング用具として機能する。
上述の構造の用具は多重の機能を提供はするが、それは次のような点でなお高度に限定され、潜在的に危険である； 
弾性の折り曲げ可能なバーは、プラグによって固定され、用具を操作するとき、それは急に解け急に飛び出すかもしれない。さらに、その握りは、高密度金属で作られており、女性または子供が扱うにはあまりに重く、特定の人々にのみ適した用具となっている。 
【特許文献１】台湾特許375933番
【考案の開示】
【考案が解決しようとする課題】
【０００３】
正確なテストおよび研究の全体にわたって、本考案者は前述の先行技術の欠点をよく解決するような多機能ダンベルを最終的に考案した。
本考案の課題は、その重量がユーザの年齢および健康状態に基づいて調整可能になりうるダンベルの改善された構造物を提供することである。別の目的は、ダンベルのそのような改善された構造物を繩跳びのロープのような他の運動器具へ変えることができる、多機能の用具にすることである。
【課題を解決するための手段】
【０００４】
本考案は、以下の要素を含む多機能ダンベルを提供することで課題を解決した；
実際のニーズにおいて、その内部に適切な重量物を充填することができる中空バー、中空バーの両端をカバーするために使用される2つのキャップ、ロープ、繩跳びのロープを組み立てうる両端をキャップで固定したロープ、支持板および中空バーの2つの対称的なセットで組み立てられる胸拡張トレーニング・ロープを形成することができるロープセット、腕立て伏せトレーナーを組み立るための、中空バーと固定する支持板の挿入用の２つの対称的なフィッテイング穴をもつ土台。
【０００５】
つまり本考案は、以下からなる；
１．両端に係止溝を持つ、中空バーと 前記中空バーの両端をカバーし、かつ堅く備品に前記係止溝を適合させる適切な高さで、内部壁に対称的な凸状ポイントを持つ２つのキャップを含む多機能ダンベルであって、重量物が前記中空バーに充填される場合にはそれがダンベルになり、また、重量物の充填が調整可能である多機能ダンベル。 
２．前記係止溝が、L-形である前項１の多機能ダンベル。 
３．さらに、その両端の各々に、溝がほられた凸状頭部を持つコネクターを備えたロープと、さらに、前記キャップは、前記溝がほられた凸状頭部と固定するために中心に穴をもつ前項１の多機能ダンベルであって、前記中空バーの２セットによって連結され、繩跳びロープが、組み立てられる多機能ダンベル。 
４．さらに、対称的な2枚の支持板、連接バー、および少なくとも1本の弾性のロープをもつロープ・セットを含む前項１の多機能ダンベルであって、このような要素で胸拡張トレーニング・ロープが組み立てられる多機能ダンベル。 
５．前記ロープ・セットの前記支持板が、前記中空バーに接続するために一つのサイドに接合穴を持っており、反対サイドに挿入孔と固定穴を持ち、前記連接バーは前記固定穴で固定するために両端に対称的なネックバーを持っており、前記弾性のロープと接続するために多数の側面穴を持っている前項４の多機能ダンベル。 
６．前記連接バーの前記ネックバーが、前記支持板と固定するためにさらに固定頭部を有する前項５の多機能ダンベル。 
７．前記連接バーの前記側面穴の内部壁に、少なくとも2つの対称的なロック凹を持ち、前記弾性のロープは、その両端に2つの対称的なフィッテイング棒に接続され、それは堅く前記側面穴に適合され、また、前記のフィッテイング棒の端の対称的な突出頭部が前記ロック凹としっかりと固定される前項５の多機能ダンベル。 
８．さらに2枚の対称的な支持板および1つの土台をさらに含み、前記支持板は前記中空バーに接続するために接合穴を持っており、前記土台は、さらりセット2つの対称的なスタンドを有し、その各々は、堅牢な取り付け具の前記支持板の1つに挿入されるために適合する穴を持っている前項１の多機能ダンベルであって、腕立て伏せトレーナーが、組み立てられる多機能ダンベル。
【考案の効果】
【０００６】
本考案は、その重量がユーザの年齢および健康状態に基づいて調整可能になりうるダンベルの改善された構造物を提供する。別の本考案は、ダンベルのそのような改善された構造物を繩跳びのロープのような他の運動器具へ変えることができ、他の部品および付属品と接合することによって、胸拡張トレーニング（エキスパンダー）・ロープ、腕立て伏せトレーナーなどを提供する。
【考案を実施するための最良の形態】
【０００７】
実施例１
図1の分解図および図2の斜め上方からの図を参照して、好ましい実施例を説明する。本考案の多機能ダンベルは、以下の要素を持つ：
両端の各々に、少なくとも2つの対称的なL-形の係止溝11を備えた中空バー10であって、バー10の両端をカバーするために使用される2つのキャップ20を持ち、キャップ20をバーで堅く固定することができるように、係止溝11に適合する適切な高さにキャップ20の内部壁上に対称的な凸状ポイント21がある；
重量物(図では示されない)が中空バー10に満たされる場合、本構造からなる用具はダンベルになる。また、重量物の量はユーザの年齢および健康状態に依存してその量を変更して充填してもよい。該重量物は市販の一般的な物質である。したがって説明でのみ言及され、図の中では示されない。 
【０００８】
実施例２
本考案の多機能ダンベルの別の実施例は、図3〜5に示されるように、以下である。当該バー10とキャップ20の2セットにおいて、キャップ20の上カバーの中央に穴22を設け、そして、コネクター31と適当な長さのロープ30とがカップリングさせられる。コネクター31は、凸状頭部32をもち、ロープ30の各末端にある。ジャンピングロープ（縄跳びロープ）が、取り付けのためのキャップ20の穴22の中に凸状頭部32を適合させることで形成される。
【０００９】
実施例３
本考案の多機能ダンベルの第３の実施例は、図6〜10に示されるように、以下である。実施例１の構造に、ロープ・セット40を接合させる。それは、2枚の支持板41、および各々の両端に連接バー42と少なくとも1本の弾性のロープ43を含んでいる； 
支持板41は、中空バー10との接合のために一つの末端に接合穴411、挿入孔412、挿入孔412から拡張された固定穴413を持っている； 
連接バー42は、小さなネックバー421を、両最上部と最下部で対称的に有し、その各々はさらに固定頭部422を有し、その半径は固定穴413よりわずかに小さい。さらに、連接バー42には多数の側面穴423がある。その内部壁は、弾性のロープ43の固定のために少なくとも2つの対称的なロック凹424を持っている。弾性のロープ43は、固定用にロック凹424に適合するための対称的な突起頭部432をもつフィッティング棒431を各末端に持っている。中空バー10は、2つの対称的な制限リング12をもち、支持板41を支える。基本構造は、中空バー10に、2つの支持板41を取り付けて組み立て、次に、連接バー42の固定頭部422を、挿入口412へ挿入させ、次いで、ネックバー421を固定穴413方向へ移動させる。そして、まず、バー10の両末端にキャップ20を適合させ、次に、弾性のロープ43のフィッティング棒431を、2つの連接バー42の側面穴423へ適合させ、さらに、フィッティング棒431を回転させ、側面穴423のロック凹424と硬く固定させる。
かくして、胸拡張トレーニング・ロープが形成される(図10)。
弾性のロープの数は、弾性パワーを高めるか弱めるかのによってユーザの所望に基づいて変更することができる。 
【００１０】
実施例４
本考案の多機能ダンベルの第４の実施例は、図11〜13に示されるように、以下である。
実施例１の構造に、1つのペアの支持板41と土台50を含む。支持板41は実施例３で開示のものと同じ特徴を持つ。土台50は、それらの上部にフィッティング穴511を備えた2つの対称的なスタンド51を持っている。支持板41は、土台50と固定するためにフィッティング穴511に挿入することができる。組み立てのためには、最初に、二つの支持板41の間にバー10をおき、制限リング12で結合穴411を維持させ、ついで、中空バー10の両末端に二つのキャップ20を適合させ、そしてさらに、支持板50をフィッティング穴511へ挿入させる。かくして、腕立て伏せトレーナーは形成される。 
【００１１】
上記に説明される考案は、産業上利用可能性および絶対新規性をもち、登録性を有する。上記に例証された実施例は、単に考案の説明ための典型的な実施例で、請求の範囲を制限するためには利用されないものとする。請求項の範囲内のどんな等価な修正も、この考案の権利範囲としてカバーされる。
【図面の簡単な説明】
【００１２】
【図１】実施例１についての分解図
【図２】実施例１の斜め上方からの図
【図３】実施例２についての部分的分解図
【図４】実施例２についての部分的な斜め上方からの図
【図５】実施例２についての斜め上方からの図
【図６】実施例３についての斜め上方からの図
【図７】実施例３についての部分的な分解図
【図８】実施例３の連接バーの概観
【図９】実施例３についての部分的な斜め上方からの図
【図１０】図9の断面図
【図１１】実施例４についての分解図
【図１２】実施例４についての斜め上方からの図
【図１３】実施例４の断面図
【符号の説明】
【００１３】
10:中空バー
11:係止溝
12:制限リング
20:キャップ
21:凸状ポイント
22:穴
30:ロープ
31:コネクター
32:凸状頭部
40:ロープ・セット
41:支持板
411:接合穴
412:挿入孔
413:固定穴
42:連接バー
421:ネックバー
422:固定頭部
423:側面穴
424:ロック凹
43:弾性のロープ
431:フィッティング棒
432:突起頭部
50:土台
51:スタンド
511:フィッティング穴
【図１】
0003130481.tif 000003
【図２】
0003130481.tif 000004
【図３】
0003130481.tif 000005
【図４】
0003130481.tif 000006
【図５】
0003130481.tif 000007
【図６】
0003130481.tif 000008
【図７】
0003130481.tif 000009
【図８】
0003130481.tif 000010
【図９】
0003130481.tif 000011
【図１０】
0003130481.tif 000012
【図１１】
0003130481.tif 000013
【図１２】
0003130481.tif 000014
【図１３】
0003130481.tif 000015